(57)【要約】【課題】この発明は、簡易な構成で、ネットワークを介して取得される更新情報に基づいて、容易にファームウェアの更新を行なうことを可能とした記録再生装置及び記録再生方法を提供することを目的としている。【解決手段】ＭＰＵ２２は、ＰＣ３０からファームウェアのバージョンアップ要求を、ネットワーク２９を介して受け付ける。すると、ＭＰＵ２２は、ファームウェアのバージョンアップデータの要求を、ネットワーク２９を介してバージョンアップサイト３１に出力し、バージョンアップサイト３１から得られるバージョンアップデータを、ネットワーク２９を介して取得する。【選択図】    図１
2004185096.tif 000002
【特許請求の範囲】
【請求項１】
ファームウェアに基づいて記録媒体に対する情報の記録再生を行なう記録再生装置において、
前記ファームウェアの更新を要求する情報を、ネットワークを介して受け付ける手段と、
前記ファームウェアを更新するための情報を要求する情報を、前記ネットワークに対して出力する手段と、
前記ファームウェアを更新するための情報を、前記ネットワーク上から取得する手段とを具備してなることを特徴とする記録再生装置。
【請求項２】
前記ファームウェアを更新するための情報を要求する情報に、自己の固有情報を付加する手段を具備してなることを特徴とする請求項１記載の記録再生装置。
【請求項３】
前記ファームウェアを更新するための情報の取得が完了したことを示す情報を、前記ネットワークに対して出力する手段を具備してなることを特徴とする請求項１記載の記録再生装置。
【請求項４】
ファームウェアに基づいて記録媒体に対する情報の記録再生を行なう記録再生装置において、
前記ファームウェアのバージョンアップページを要求する情報を、ネットワークを介して受け付ける手段と、
前記ファームウェアのバージョンアップページを要求する情報を、前記ネットワークに対して出力する手段と、
前記ファームウェアのバージョンアップページを、前記ネットワーク上から取得する手段と、
前記ファームウェアのバージョンアップページを、前記ネットワークに対して出力する手段と、
前記ファームウェアのバージョンアップデータを要求する情報を、前記ネットワークを介して受け付ける手段と、
前記ファームウェアのバージョンアップデータを要求する情報を、前記ネットワークに対して出力する手段と、
前記ファームウェアのバージョンアップデータを、前記ネットワーク上から取得する手段とを具備してなることを特徴とする記録再生装置。
【請求項５】
前記ファームウェアのバージョンアップページを要求する情報に、自己の機種情報を付加する手段を具備してなることを特徴とする請求項４記載の記録再生装置。
【請求項６】
前記ファームウェアのバージョンアップデータを要求する情報に、自己の固有情報を付加する手段を具備してなることを特徴とする請求項４記載の記録再生装置。
【請求項７】
前記ファームウェアのバージョンアップデータの取得が完了したことを示す情報を、前記ネットワークに対して出力する手段を具備してなることを特徴とする請求項４記載の記録再生装置。
【請求項８】
ファームウェアに基づいて記録媒体に対する情報の記録再生を行なう記録再生方法において、
前記ファームウェアの更新を要求する情報を、ネットワークを介して受け付け、
前記ファームウェアを更新するための情報を要求する情報を、前記ネットワークに対して出力し、
前記ファームウェアを更新するための情報を、前記ネットワーク上から取得することを特徴とする記録再生方法。
【請求項９】
前記ファームウェアを更新するための情報を要求する情報に、自己の固有情報を付加することを特徴とする請求項８記載の記録再生方法。
【請求項１０】
前記ファームウェアを更新するための情報の取得が完了したことを示す情報を、前記ネットワークに対して出力することを特徴とする請求項８記載の記録再生方法。
【請求項１１】
ファームウェアに基づいて記録媒体に対する情報の記録再生を行なう記録再生方法において、
前記ファームウェアのバージョンアップページを要求する情報を、ネットワークを介して受け付け、
前記ファームウェアのバージョンアップページを要求する情報を、前記ネットワークに対して出力し、
前記ファームウェアのバージョンアップページを、前記ネットワーク上から取得し、
前記ファームウェアのバージョンアップページを、前記ネットワークに対して出力し、
前記ファームウェアのバージョンアップデータを要求する情報を、前記ネットワークを介して受け付け、
前記ファームウェアのバージョンアップデータを要求する情報を、前記ネットワークに対して出力し、
前記ファームウェアのバージョンアップデータを、前記ネットワーク上から取得することを特徴とする記録再生方法。
【請求項１２】
前記ファームウェアのバージョンアップページを要求する情報に、自己の機種情報を付加することを特徴とする請求項１１記載の記録再生方法。
【請求項１３】
前記ファームウェアのバージョンアップデータを要求する情報に、自己の固有情報を付加することを特徴とする請求項１１記載の記録再生方法。
【請求項１４】
前記ファームウェアのバージョンアップデータの取得が完了したことを示す情報を、前記ネットワークに対して出力することを特徴とする請求項１１記載の記録再生方法。
【発明の詳細な説明】
【０００１】
【発明の属する技術分野】
この発明は、例えば光ディスク等の記録媒体に対して情報の記録再生を行なう記録再生装置及び記録再生方法に係り、特にそのファームウェアの更新を行なうものに関する。
【０００２】
【従来の技術】
周知のように、近年では、例えば、ＤＶＤ−ＲＡＭ（Ｄｉｇｉｔａｌ  Ｖｅｒｓａｔｉｌｅ  Ｄｉｓｋ−Ｒａｎｄｏｍ  Ａｃｃｅｓｓ  Ｍｅｍｏｒｙ）及びＤＶＤ−Ｒ（Ｒａｃｏｒｄａｂｌｅ）等のように、書き込み可能な光ディスクに対して情報の記録再生を行なう、いわゆる、ＤＶＤレコーダが普及している。
【０００３】
ところで、このようなＤＶＤレコーダにおいて、そのファームウェアの更新、例えばバージョンアップ等を図る場合、ユーザは、ＰＣ（Ｐｅｒｓｏｎａｌ  Ｃｏｍｐｕｔｅｒ）によりインターネットを介してバージョンアップサイトにアクセスし、必要なバージョンアップデータを要求する。
【０００４】
その後、ユーザは、バージョンアップサイトからインターネットを介してＰＣに取得されたバージョンアップデータを、バージョンアップ専用のアプリケーションを用いてＰＣからＤＶＤレコーダに転送し、ここに、ファームウェアのバージョンアップを行なうことができる。
【０００５】
しかしながら、このような現状のバージョンアップ手段では、ＰＣに、バージョンアップサイトから取得したバージョンアップデータをＤＶＤレコーダに転送するために、バージョンアップ専用のアプリケーションをインストールする必要が有り、ユーザにとって取り扱いが不便になるという問題が生じている。
【０００６】
なお、特許文献１として提示した特開平１１−６５８２８号公報は、クライアントとサーバとの間で、簡易認証ファイルを用いて更新を必要とするアプリケーションに関する情報を授受することにより、クライアントの持つアプリケーションをサーバからの情報により更新する構成を開示している。
【０００７】
しかしながら、この特許文献１は、クライアントＰＣのアプリケーションをサーバからの情報によりバージョンアップするものであって、ＰＣを用いてバージョンアップサイトからの情報により他のＡＶ（Ａｕｄｉｏ  Ｖｉｓｕａｌ）機器をバージョンアップすることについては、何らの記載もなされていないものである。
【０００８】
【特許文献１】
特開平１１−６５８２８号公報
【０００９】
【発明が解決しようとする課題】
そこで、この発明は上記事情を考慮してなされたもので、簡易な構成で、ネットワークを介して取得される更新情報に基づいて、容易にファームウェアの更新を行なうことを可能とした記録再生装置及び記録再生方法を提供することを目的とする。
【００１０】
【課題を解決するための手段】
この発明に係る記録再生装置は、ファームウェアに基づいて記録媒体に対する情報の記録再生を行なうものを対象としている。そして、ファームウェアの更新を要求する情報を、ネットワークを介して受け付ける手段と、ファームウェアを更新するための情報を要求する情報を、ネットワークに対して出力する手段と、ファームウェアを更新するための情報を、ネットワーク上から取得する手段とを備えるようにしたものである。
【００１１】
また、この発明に係る記録再生方法は、ファームウェアに基づいて記録媒体に対する情報の記録再生を行なう方法を対象としている。そして、ファームウェアの更新を要求する情報をネットワークを介して受け付け、ファームウェアを更新するための情報を要求する情報をネットワークに対して出力し、ファームウェアを更新するための情報をネットワーク上から取得するようにしたものである。
【００１２】
上記のような構成及び方法によれば、ファームウェアの更新を要求する情報に基づいて、ファームウェアを更新するための情報を要求する情報をネットワークに対して出力し、ファームウェアを更新するための情報をネットワーク上から取得するようにしたので、簡易な構成で、ネットワークを介して取得される更新情報に基づいて、容易にファームウェアの更新を行なうことが可能となる。
【００１３】
【発明の実施の形態】
以下、この発明の実施の形態について、図面を参照して詳細に説明する。図１は、この実施の形態で説明するＤＶＤレコーダ１１を示している。すなわち、このＤＶＤレコーダ１１は、外部から映像及び音声のデータを入力するためのＡＶ入力部１２と、受信したテレビジョン放送信号から所定のチャンネルを選局するＴＶ（Ｔｅｌｅｖｉｓｉｏｎ）チューナ１３とを備えている。
【００１４】
これらＡＶ入力部１２及びＴＶチューナ１３は、取得した映像及び音声のデータをエンコーダ部１４に出力している。このエンコーダ部１４は、入力した映像及び音声のデータに対して、所定の圧縮符号化処理、変調処理、エラー訂正コードの付加処理等を施した後、記録に適したフォーマットに変換してディスクドライブ部１５に出力している。
【００１５】
このディスクドライブ部１５は、エンコーダ部１４から入力した映像及び音声のデータを、ＨＤＤ（Ｈａｒｄ  Ｄｉｓｋ  Ｄｒｉｖｅ）１６によりハードディスクに一旦記録する。その後、ディスクドライブ部１５は、ＨＤＤ１６を介してハードディスクに記録された映像及び音声のデータを読み出し、ディスクドライブ１７に出力している。
【００１６】
このディスクドライブ１７は、例えばＤＶＤ−ＲＡＭ及びＤＶＤ−Ｒ等の光ディスク１８を選択的に装着可能となっている。そして、このディスクドライブ１７は、装着した光ディスク１８を回転駆動し、ＨＤＤ１６から入力した映像及び音声のデータを、光ヘッドにより、一時記録部１９をバッファとして、光ディスク１８に記録している。
【００１７】
また、上記ディスクドライブ部１５は、ディスクドライブ１７が光ヘッドにより光ディスク１８から読み出した映像及び音声のデータを、デコーダ部２０に出力している。このデコーダ部２０は、入力した映像及び音声のデータに対して、復号化処理、復調処理、エラー訂正処理等を施した後、ＤＶＤプレーヤ１１の外部に導出するためにＡＶ出力部２１に出力している。
【００１８】
上記した光ディスク１８に対する記録再生動作は、ＭＰＵ（Ｍｉｃｒｏ  ＰｒｏｃｅｓｓｉｎｇＵｎｉｔ）２２が統括的に制御している。このＭＰＵ２１は、メモリ２３に格納された制御ソフトウェアや、フラッシュＲＯＭ（Ｒｅａｄ  Ｏｎｌｙ  Ｍｅｍｏｒｙ）２４に格納されたファームウェア等に基づいて、タイマーＭＰＵ２５を経て入力した操作入力部２６の操作情報を反映させるように各部を制御している。
【００１９】
なお、メモリ２３は、ＭＰＵ２２に対して作業エリアを提供するとともに、例えば記録予約情報等の各種の設定データを記録している。また、タイマーＭＰＵ２４は、メモリ２３に記録された記録予約情報に基づく記録動作を実現するための時間計測動作を行なうもので、ＭＰＵ２２に対して記録の開始や停止等を指示する情報を発生している。さらに、上記ＭＰＵ２２は、表示部２７に現在の動作状態及び各種の設定状態等を表示させている。
【００２０】
ここで、上記ＭＰＵ２２は、通信制御部２８を接続している。この通信制御部２８は、例えばインターネット等のような外部のネットワーク２９と接続可能になっており、ＭＰＵ２２が発生するデータやコマンドをネットワーク２９上に送出したり、ネットワーク２９上に送出されたデータやコマンドを取り込んでＭＰＵ２２に供給する機能を有している。
【００２１】
そして、このネットワーク２９は、ＰＣ３０とバージョンアップサイト３１とを接続している。ＰＣ３０は、例えばＤＶＤレコーダ１１のユーザが所有しているものである。バージョンアップサイト３１は、ＤＶＤレコーダ１１のフラッシュＲＯＭ２４に格納されたファームウェアをバージョンアップさせるためのバージョンアップデータを提供可能なものである。
【００２２】
図２は、ＤＶＤレコーダ１１のファームウェアをバージョンアップさせる動作をまとめたフローチャートを示している。このバージョンアップ動作は、ＰＣ３０がバージョンアップページを要求する情報をネットワーク２９上に送信することにより、開始（ステップＳ１）する。
【００２３】
このバージョンアップページとは、例えば、ファームウェアをバージョンアップさせるためのバージョンアップデータを、ダウンロードするためのガイド画面を表示させる情報である。そして、このバージョンアップページの要求情報は、ステップＳ２で、ＭＰＵ２２が通信制御部２８を介して受け付ける。
【００２４】
すると、ＭＰＵ２２は、ステップＳ３で、バージョンアップページをバージョンアップサイト３１に要求する情報を生成し、その情報に自己の機種情報を付加し、通信制御部２８を介してネットワーク２９上に送信する。これにより、バージョンアップサイト３１は、機種情報に対応したバージョンアップページをネットワーク２９上に送信する。
【００２５】
このため、ＭＰＵ２２は、ステップＳ４で、バージョンアップサイト３１がネットワーク２９上に送信したバージョンアップページを、通信制御部２８を介して取得する。すると、ＭＰＵ２２は、ステップＳ５で、取得したバージョンアップページをＰＣ３０に通知するために、通信制御部２８を介してネットワーク２９上に送信する。
【００２６】
これにより、ＰＣ３０は、更新情報であるバージョンアップデータを要求する情報をネットワーク２９上に送信する。このため、ＭＰＵ２２は、ステップＳ６で、ＰＣ３０がネットワーク２９上に送信したバージョンアップデータの要求情報を、通信制御部２８を介して受け付ける。
【００２７】
すると、ＭＰＵ２２は、ステップＳ７で、バージョンアップデータをバージョンアップサイト３１に要求する情報を生成し、その情報に自己の固有情報を付加し、通信制御部２８を介してネットワーク２９上に送信する。これにより、バージョンアップサイト３１は、固有情報からバージョンアップデータを提供してもよい機器であることを判別し、バージョンアップデータをネットワーク２９上に送信する。
【００２８】
このため、ＭＰＵ２２は、ステップＳ８で、バージョンアップサイト３１がネットワーク２９上に送信したバージョンアップデータを、通信制御部２８を介して取得する。そして、ＭＰＵ２２は、ステップＳ９で、取得したバージョンアップデータをＨＤＤ１６によりハードディスクに保存する。
【００２９】
その後、ＭＰＵ２２は、ステップＳ１０で、バージョンアップサイト３１からのバージョンアップデータのダウンロードが完了したことを示す情報を生成し、ＰＣ３０に送信するために通信制御部２８を介してネットワーク２９上に送信する。これにより、ＰＣ３０は、バージョンアップデータのダウンロードが完了したことをユーザに通知する。
【００３０】
そして、ＭＰＵ２２は、ステップＳ１１で、ハードディスクに記録されたバージョンアップデータに基づいて、フラッシュＲＯＭ２４に格納されたファームウェアのバージョンアップ処理を実行し、ステップＳ１２で、ＤＶＤレコーダ１１の電源をオフして、処理を終了（ステップＳ１３）する。
【００３１】
上記した実施の形態によれば、ＤＶＤレコーダ１１内にネットワーク２９と接続される通信制御部２８を設置し、ＰＣ３０からの要求に基づいてバージョンアップサイト３１からネットワーク上に送信されたバージョンアップデータを、ＰＣ３０を経由することなく、直接、通信制御部２８を介してＤＶＤレコーダ１１に取り込むようにしている。
【００３２】
このため、ＰＣ３０に、バージョンアップデータをＤＶＤレコーダ１１に転送するためのバージョンアップ専用のアプリケーションをインストールする必要がなくなり、簡易な構成で、バージョンアップサイト３１からネットワーク２９を介して取得されるバージョンアップデータに基づいて、容易にファームウェアのバージョンアップを図ることが可能となる。
【００３３】
また、上記ステップＳ７で説明したように、ＭＰＵ２２がバージョンアップデータをバージョンアップサイト３１に要求する際、自己の固有情報を付加するようにしたので、バージョンアップサイト３１では、固有情報に基づいてバージョンアップデータを提供してもよい機器からの要求であるか否かを判別することができ、バージョンアップデータを不正にダウンロードすることを防止することができる。
【００３４】
さらに、上記ステップＳ２〜Ｓ５で説明したように、バージョンアップデータをダウンロードするのに先立って、ＭＰＵ２２が自己の機種情報を付加してバージョンアップサイト３１にバージョンアップページを要求し、その結果、バージョンアップサイト３１から得られたバージョンアップページを、ＰＣ３０に自動的に通知するようにしている。このため、誤って別の機種のバージョンアップデータをダウンロードすることを防止することができる。
【００３５】
また、上記した実施の形態では、ＤＶＤレコーダ１１のファームウェアをバージョンアップすることについて説明したが、これに限るものではなく、例えば磁気ディスク、磁気テープ、半導体メモリ等を記録媒体として映像及び音声のデータを記録再生可能な機器に対するファームウェアのバージョンアップにも、広く適用することができる。
【００３６】
さらに、ネットワーク２９としては、インターネットだけに限らず、例えばＬＡＮ（Ｌｏｃａｌ  Ａｒｅａ  Ｎｅｔｗｏｒｋ）等のように、種々の通信ネットワークを広く使用することができる。
【００３７】
なお、この発明は上記した実施の形態に限定されるものではなく、この外その要旨を逸脱しない範囲で種々変形して実施することができる。
【００３８】
【発明の効果】
以上詳述したようにこの発明によれば、簡易な構成で、ネットワークを介して取得される更新情報に基づいて、容易にファームウェアの更新を行なうことを可能とした記録再生装置及び記録再生方法を提供することができる。
【図面の簡単な説明】
【図１】この発明の実施の形態を示すもので、ＤＶＤレコーダを説明するために示すブロック構成図。
【図２】同実施の形態におけるＤＶＤレコーダのファームウェアをバージョンアップさせる動作を説明するために示すフローチャート。
【符号の説明】
１１…ＤＶＤレコーダ、
１２…ＡＶ入力部、
１３…ＴＶチューナ、
１４…エンコーダ部、
１５…ディスクドライブ部、
１６…ＨＤＤ、
１７…ディスクドライブ、
１８…光ディスク、
１９…一時記録部、
２０…デコーダ部、
２１…ＡＶ出力部、
２２…ＭＰＵ、
２３…メモリ、
２４…フラッシュＲＯＭ、
２５…タイマーＭＰＵ、
２６…操作入力部、
２７…表示部、
２８…通信制御部、
２９…ネットワーク、
３０…ＰＣ、
３１…バージョンアップサイト。
【図１】
2004185096.tif 000003
【図２】
2004185096.tif 000004